(57)【特許請求の範囲】
【請求項１】
物体側から順に、負パワーの第１レンズ、正パワーの第２レンズ、正パワーの第３レンズ、負パワーの第４レンズ、正パワーの第５レンズ、負パワーの第６レンズが配置され、且つ、以下の条件式（１）〜（４）を満足することを特徴とする撮像レンズ。
１．３５≦ｆ３／ｆ≦１．６３                            （１）
−１０．００＜ｆ４／ｆ≦−３．５０                      （２）
０．２０≦Ｒ１／Ｒ２≦０．８０                          （３）
３．５０≦ν３／ν４≦４．１０                          （４）
但し、
ｆ：レンズ系全体の焦点距離
ｆ３：第３レンズの焦点距離
ｆ４：第４レンズの焦点距離
Ｒ１：第１レンズの物体側面の曲率半径
Ｒ２：第１レンズの像面側面の曲率半径
ν３：第３レンズのアッベ数
ν４：第４レンズのアッベ数
である。
【請求項２】
以下の条件式（５）を満足することを特徴とする請求項１記載の撮像レンズ。
１．２０≦Ｒ７／Ｒ８≦１．９０                          （５）
但し、
Ｒ７：第４レンズの物体側面の曲率半径
Ｒ８：第４レンズの像面側面の曲率半径
である。
【請求項３】
以下の条件式（６）を満足することを特徴とする請求項１記載の撮像レンズ。
−０．４０≦ｆ３／ｆ４≦−０．１０                      （６）
但し、
ｆ３：第３レンズの焦点距離
ｆ４：第４レンズの焦点距離
である。
【発明の詳細な説明】
【技術分野】
【０００１】
本発明は、撮像レンズに関する発明である。特に、高画素用ＣＣＤ、ＣＭＯＳなどの撮像素子を使用した携帯用モジュールカメラ、ＷＥＢカメラなどに好適な、良好な光学特性を有し、Ｆｎｏ＝２．２０以下の明るいＦ値（以下、Ｆｎｏとする）で、全画角（以下、２ωとする）が、１２５°以上と広角な６枚のレンズで構成される撮像レンズに関する発明である。
【０００２】
近年、ＣＣＤやＣＭＯＳなどの撮像素子を使用した各種撮像装置が広く普及している。これらの撮像素子の小型化、高性能化に伴い、良好な光学特性で、明るいＦｎｏを有し、広角な撮像レンズが求められている。
【０００３】
Ｆｎｏが明るく、良好な光学特性を有する広角な６枚のレンズで構成される撮像レンズに関する技術開発が進められている。この６枚構成の撮像レンズとしては、物体側から順に、負パワーの第１レンズ、正パワーの第２レンズ、正パワーの第３レンズ、負パワーの第４レンズ、正パワーの第５レンズ、負パワーの第６レンズで構成されたものが提案されている。
【０００４】
特許文献１の実施例に開示された撮像レンズは、上記、６枚で構成された撮像レンズであるが、第３レンズ、第４レンズのパワー配分、第１レンズの物体側面の曲率半径と第１レンズの像面側面の曲率半径の比、第３レンズのアッベ数と第４レンズのアッベ数の比が不十分なために、２ω＝１１９．４〜１１９．６°、Ｆｎｏ＝２．４４と広角化とＦｎｏの明るさが不十分であった。
【０００５】
特許文献２の実施例に開示された撮像レンズは、６枚で構成された撮像レンズであるが、第３レンズのパワー配分、第１レンズの物体側面の曲率半径と第１レンズの像面側面の曲率半径の比、第３レンズのアッベ数と第４レンズのアッベ数の比が不十分なために、２ω＝１１９．９〜１２０．０°、Ｆｎｏ＝２．２４〜２．２８と広角化とＦｎｏの明るさが不十分であった。
【先行技術文献】
【特許文献】
【０００６】
【特許文献１】特開２０１８−１９４５７６号広報
【特許文献２】特開２０１９−８１６６号広報
【発明の概要】
【発明が解決しようとする課題】
【０００７】
本発明の目的は、良好な光学特性で、明るいＦ値を有し、広角な６枚のレンズで構成される撮像レンズを提供することである。
【０００８】
上記目的を達成するために、第３レンズ、第４レンズのパワー配分、第１レンズの物体側面の曲率半径と第１レンズの像面側面の曲率半径の比、第３レンズのアッベ数と第４レンズのアッベ数の比を鋭意検討した結果、従来技術の課題が改善された撮像レンズを得ることを見出し、本発明に達成した。
【課題を解決するための手段】
【０００９】
請求項１記載の撮像レンズは、物体側から順に、負パワーの第１レンズ、正パワーの第２レンズ、正パワーの第３レンズ、負パワーの第４レンズ、正パワーの第５レンズ、負パワーの第６レンズが配置され、且つ、以下の条件式（１）〜（４）を満足することを特徴とする撮像レンズ。
１．３５≦ｆ３／ｆ≦１．６３                            （１）
−１０．００＜ｆ４／ｆ≦−３．５０                      （２）
０．２０≦Ｒ１／Ｒ２≦０．８０                          （３）
３．５０≦ν３／ν４≦４．１０                          （４）
但し、
ｆ：レンズ系全体の焦点距離
ｆ３：第３レンズの焦点距離
ｆ４：第４レンズの焦点距離
Ｒ１：第１レンズの物体側面の曲率半径
Ｒ２：第１レンズの像面側面の曲率半径
ν３：第３レンズのアッベ数
ν４：第４レンズのアッベ数
である。
【００１０】
請求項２記載の撮像レンズは、以下の条件式（５）を満足することを特徴とする請求項１記載の撮像レンズ。
１．２０≦Ｒ７／Ｒ８≦１．９０                          （５）
但し、
Ｒ７：第４レンズの物体側面の曲率半径
Ｒ８：第４レンズの像面側面の曲率半径
である。
【００１１】
請求項３記載の撮像レンズは、以下の条件式（６）を満足することを特徴とする請求項１記載の撮像レンズ。
−０．４０≦ｆ３／ｆ４≦−０．１０                      （６）
但し、
ｆ３：第３レンズの焦点距離
ｆ４：第４レンズの焦点距離
である。
【発明の効果】
【００１２】
本発明によれば、特に、高画素用ＣＣＤ、ＣＭＯＳなどの撮像素子を使用した携帯用モジュールカメラ、ＷＥＢカメラなどに好適な、良好な光学特性で、明るいＦ値を有し、広角な６枚のレンズで構成される撮像レンズを提供できる。
【図面の簡単な説明】
【００１３】
【図１】本発明の実施例１の撮像レンズＬＡの概略構成を示す図である。
【図２】本発明の実施例１の撮像レンズＬＡの球面収差、像面湾曲、歪曲収差を示す図である。
【図３】本発明の実施例２の撮像レンズＬＡの概略構成を示す図である。
【図４】本発明の実施例２の撮像レンズＬＡの球面収差、像面湾曲、歪曲収差を示す図である。
【図５】本発明の実施例３の撮像レンズＬＡの概略構成を示す図である。
【図６】本発明の実施例３の撮像レンズＬＡの球面収差、像面湾曲、歪曲収差を示す図である。
【図７】本発明の実施例４の撮像レンズＬＡの概略構成を示す図である。
【図８】本発明の実施例４の撮像レンズＬＡの球面収差、像面湾曲、歪曲収差を示す図である。
【図９】本発明の実施例５の撮像レンズＬＡの概略構成を示す図である。
【図１０】本発明の実施例５の撮像レンズＬＡの球面収差、像面湾曲、歪曲収差を示す図である。
【発明を実施するための形態】
【００１４】
本発明に係る撮像レンズの実施形態について説明する。この撮像レンズＬＡは、物体側から像面側へ向かって、第１レンズＬ１、第２レンズＬ２、第３レンズＬ３、第４レンズＬ４、第５レンズＬ５、第６レンズＬ６が配置された６枚構成のレンズ系を備えている。第６レンズＬ６と像面との間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である。
【００１５】
第１レンズＬ１は、負パワーを有するレンズであり、第２レンズＬ２は、正パワーを有するレンズであり、第３レンズＬ３は、正パワーを有するレンズであり、第４レンズＬ４は、負パワーを有するレンズであり、第５レンズＬ５は、正パワーを有するレンズであり、第６レンズＬ６は、負パワーを有するレンズである。これらの６枚レンズのレンズ表面は、諸収差を良好に補正するために、全面を非球面とすることが望ましい。
【００１６】
この撮像レンズＬＡは、以下の条件式（１）〜（４）を満足することを特徴とする撮像レンズ。
１．３５≦ｆ３／ｆ≦１．６３                            （１）
−１０．００＜ｆ４／ｆ≦−３．５０                      （２）
０．２０≦Ｒ１／Ｒ２≦０．８０                          （３）
３．５０≦ν３／ν４≦４．１０                          （４）
但し、
ｆ：レンズ系全体の焦点距離
ｆ３：第３レンズの焦点距離
ｆ４：第４レンズの焦点距離
Ｒ１：第１レンズの物体側面の曲率半径
Ｒ２：第１レンズの像面側面の曲率半径
ν３：第３レンズのアッベ数
ν４：第４レンズのアッベ数
である。
【００１７】
条件式（１）は、第３レンズＬ３の正パワーを規定するものである。条件式（１）の範囲外では、Ｆｎｏが明るく、良好な光学特性を有しての広角化が困難となり、好ましくない。
【００１８】
条件式（２）は、第４レンズＬ４の負パワーを規定するものである。条件式（２）の範囲外では、Ｆｎｏが明るく、良好な光学特性を有しての広角化が困難となり、好ましくない。
【００１９】
条件式（３）は、第１レンズＬ１の物体側面の曲率半径Ｒ１と第１レンズＬ２の像面側面の曲率半径との比を規定するものである。条件式（３）の範囲外では、Ｆｎｏが明るく、良好な光学特性を有しての広角化が困難となり、好ましくない。
【００２０】
条件式（４）は、第３レンズＬ３のアッベ数ν３と第４レンズＬ４のアッベ数ν４との比を規定するものである。条件式（４）の範囲外では、Ｆｎｏが明るく、広角な状態で、色収差の補正が困難となり、好ましくない。
【００２１】
撮像レンズＬＡは、以下の条件式（５）を満足することを特徴とする撮像レンズ。
１．２０≦Ｒ７／Ｒ８≦１．９０                          （５）
但し、
Ｒ７：第４レンズの物体側面の曲率半径
Ｒ８：第４レンズの像面側面の曲率半径
である。
【００２２】
条件式（５）は、第４レンズＬ４の物体側面の曲率半径Ｒ７と第４レンズＬ４の像面側面の曲率半径Ｒ８とを規定するものである。条件式（５）の範囲外では、Ｆｎｏが明るく、良好な光学特性を有しての広角化が困難となり、好ましくない。
【００２３】
撮像レンズＬＡは、以下の条件式（６）を満足することを特徴とする撮像レンズ。
−０．４０≦ｆ３／ｆ４≦−０．１０                      （６）
但し、
ｆ３：第３レンズの焦点距離
ｆ４：第４レンズの焦点距離
である。
【００２４】
条件式（６）は、第３レンズＬ３の焦点距離ｆ３と第４レンズＬ４の焦点距離ｆ４との比を規定するものである。条件式（６）の範囲外では、Ｆｎｏが明るく、広角な状態で、色収差の補正が困難となり、好ましくない。
【００２５】
撮像レンズＬＡを構成する６枚レンズが、それぞれ前記の構成及び、条件式を満たすことにより、Ｆｎｏが明るく、広角で、良好な光学特性を有した撮像レンズを得ることが可能となる。
【００２６】
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
ｆ５    ：第５レンズＬ５の焦点距離
ｆ６    ：第６レンズＬ６の焦点距離
Ｆｎｏ  ：Ｆ値
２ω    ：全画角
ＳＴＯＰ：開口絞り
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：第６レンズＬ６の物体側面の曲率半径
Ｒ１２  ：第６レンズＬ６の像面側面の曲率半径
Ｒ１３  ：ガラス平板ＧＦの物体側面の曲率半径
Ｒ１４  ：ガラス平板ＧＦの像面側面の曲率半径
ｄ      ：レンズの中心厚、又は、レンズ間距離
ｄ１    ：第１レンズＬ１の中心厚
ｄ２    ：第１レンズＬ１像面側面からＬ２の物体側面までの軸上距離
ｄ３    ：第２レンズＬ２の中心厚
ｄ４    ：第２レンズＬ２の像面側面から開口絞りＳＴＯＰまでの軸上距離
ｄ５    ：開口絞りＳＴＯＰから第３レンズＬ３の物体側面までの軸上距離
ｄ６    ：第３レンズＬ３の中心厚
ｄ７    ：第３レンズＬ３の像面側面から第４レンズＬ４の物体側面までの軸上距離
ｄ８    ：第４レンズＬ４の中心厚
ｄ９    ：第４レンズＬ４の像面側面から第５レンズＬ５の物体側面までの軸上距離
ｄ１０  ：第５レンズＬ５の中心厚
ｄ１１  ：第５レンズＬ５の像面側面からガラス平板ＧＦの物体側面までの軸上距離
ｄ１２  ：第６レンズＬ６の中心厚
ｄ１３  ：第５レンズＬ６の像面側面からガラス平板ＧＦの物体側面までの軸上距離
ｄ１４  ：ガラス平板ＧＦの中心厚
ｄ１５  ：ガラス平板ＧＦの像面側面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄ７  ：ガラス平板ＧＦのｄ線の屈折率
νｄ      ：アッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：第５レンズＬ５のアッベ数
ν６    ：第６レンズＬ５のアッベ数
ν７    ：ガラス平板ＧＦのアッベ数
ＴＴＬ  ：光学長（第１レンズＬ１の物体側面から像面までの軸上距離）
ＬＢ    ：第６レンズＬ６の像面側面から像面までの軸上距離（ガラス平板ＧＦの厚みを含む）
ＩＨ    ：像高
【００２７】
ｙ＝（ｘ２／Ｒ）／[１＋｛１−（ｋ＋１）（ｘ２／Ｒ２）｝１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６    （７）
【００２８】
但し、Ｒは軸上の曲率半径、ｋは円錐係数、Ａ４、Ａ６、Ａ８、Ａ１０、Ａ１２、Ａ１４、Ａ１６は非球面係数である。
【００２９】
各レンズ面の非球面は、便宜上、式（７）で表される非球面を使用している。しかしながら、特に、この式（７）の非球面多項式に限定するものではない。
【００３０】
（実施例１）
図１は、実施例１の撮像レンズＬＡの配置を示す構成図である。実施例１の撮像レンズＬＡを構成する第１レンズＬ１〜第６レンズＬ６のそれぞれの物体側及び像面側の曲率半径Ｒ、レンズの中心厚又はレンズ間距離ｄ、屈折率ｎｄ、アッベ数νｄを表１に、円錐係数ｋ、非球面係数を表２に、２ω、Ｆｎｏ、ｆ、ｆ１、ｆ２、ｆ３、ｆ４、ｆ５、ｆ６、ＴＴＬ、ＩＨを表３に示す。
【００３１】
【表１】
0006738470.tif 000002
【００３２】
【表２】
0006738470.tif 000003
【００３３】
【表３】
0006738470.tif 000004
【００３４】
後に登場する表１６は、実施例１〜５の条件式（１）〜（６）で規定したパラメータに対応する値を示す。
【００３５】
実施例１は、表１６に示すように、条件式（１）〜（６）を満足する。
【００３６】
実施例１の撮像レンズＬＡの球面収差、像面湾曲、歪曲収差を図２に示す。なお、図の像面湾曲のＳはサジタル像面に対する像面湾曲、Ｔはタンジェンシャル像面に対する像面湾曲であり、実施例２〜５においても同様である。実施例１の撮像レンズＬＡは、表３に示すように、Ｆｎｏ＝２．０４と明るく、２ωが、１３０．０１°と広角で、且つ、図２に示すように、良好な光学特性を有していることがわかる。
【００３７】
（実施例２）
図３は、実施例２の撮像レンズＬＡの配置を示す構成図である。実施例２の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νｄを表４に、円錐係数ｋ、非球面係数を表５に、２ω、Ｆｎｏ、ｆ、ｆ１、ｆ２、ｆ３、ｆ４、ｆ５、ｆ６、ＴＴＬ、ＩＨを表６に示す。
【００３８】
【表４】
0006738470.tif 000005
【００３９】
【表５】
0006738470.tif 000006
【００４０】
【表６】
0006738470.tif 000007
【００４１】
実施例２は、表１６に示すように、条件式（１）〜（６）を満足する。
【００４２】
実施例２の撮像レンズＬＡの球面収差、像面湾曲、歪曲収差を図４に示す。実施例２の撮像レンズＬＡは、表６に示すように、Ｆｎｏ＝２．０４と明るく、２ωが、１２６．００°と広角で、且つ、図４に示すように、良好な光学特性を有していることがわかる。
【００４３】
（実施例３）
図５は、実施例３の撮像レンズＬＡの配置を示す構成図である。実施例３の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νｄを表７に、円錐係数ｋ、非球面係数を表８に、２ω、Ｆｎｏ、ｆ、ｆ１、ｆ２、ｆ３、ｆ４、ｆ５、ｆ６、ＴＴＬ、ＩＨを表９に示す。
【００４４】
【表７】
0006738470.tif 000008
【００４５】
【表８】
0006738470.tif 000009
【００４６】
【表９】
0006738470.tif 000010
【００４７】
実施例３は、表１６に示すように、条件式（１）〜（６）を満足する。
【００４８】
実施例３の撮像レンズＬＡの球面収差、像面湾曲、歪曲収差を図６に示す。実施例３の撮像レンズＬＡは、表９に示すように、Ｆｎｏ＝２．０４と明るく、２ωが、１３０．０３°と広角で、且つ、図６に示すように、良好な光学特性を有していることがわかる。
【００４９】
（実施例４）
図７は、実施例４の撮像レンズＬＡの配置を示す構成図である。実施例４の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νｄを表１０に、円錐係数ｋ、非球面係数を表１１に、２ω、Ｆｎｏ、ｆ、ｆ１、ｆ２、ｆ３、ｆ４、ｆ５、ｆ６、ＴＴＬ、ＩＨを表１２に示す。
【００５０】
【表１０】
0006738470.tif 000011
【００５１】
【表１１】
0006738470.tif 000012
【００５２】
【表１２】
0006738470.tif 000013
【００５３】
実施例４は、表１６に示すように、条件式（１）〜（６）を満足する。
【００５４】
実施例４の撮像レンズＬＡの球面収差、像面湾曲、歪曲収差を図８に示す。実施例４の撮像レンズＬＡは、表１２に示すように、Ｆｎｏ＝２．０４と明るく、２ωが、１３０．０３°と広角で、且つ、図８に示すように、良好な光学特性を有していることがわかる。
【００５５】
（実施例５）
図９は、実施例５の撮像レンズＬＡの配置を示す構成図である。実施例５の撮像レンズＬＡを構成する第１レンズＬ１〜第６レンズＬ６のそれぞれの物体側及び像面側の曲率半径Ｒ、レンズ中心厚又はレンズ間距離ｄ、屈折率ｎｄ、アッベ数νｄを表１３に、円錐係数ｋ、非球面係数を表１４に、２ω、Ｆｎｏ、ｆ、ｆ１、ｆ２、ｆ３、ｆ４、ｆ５、ｆ６、ＴＴＬ、ＩＨを表１５に示す。
【００５６】
【表１３】
0006738470.tif 000014
【００５７】
【表１４】
0006738470.tif 000015
【００５８】
【表１５】
0006738470.tif 000016
【００５９】
実施例５は、表１６に示すように、条件式（１）〜（６）を満足する。
【００６０】
実施例５の撮像レンズＬＡの球面収差、像面湾曲、歪曲収差を図１０に示す。実施例５の撮像レンズＬＡは、表１５に示すように、Ｆｎｏ＝２．０４と明るく、２ωが、１３０．０４°と広角で、且つ、図１０に示すように、良好な光学特性を有していることがわかる。
【００６１】
表１６に、実施例１〜５の条件式（１）〜（６）で規定したパラメータに対応する値を示す。
【００６２】
【表１６】
0006738470.tif 000017
【符号の説明】
【００６３】
ＬＡ    ：撮像レンズ
Ｓ１    ：開口絞り
Ｌ１    ：第１レンズ
Ｌ２    ：第２レンズ    
Ｌ３    ：第３レンズ
Ｌ４    ：第４レンズ
Ｌ５    ：第５レンズ
Ｌ６    ：第６レンズ
ＧＦ    ：ガラス平板
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：第６レンズＬ６の物体側面の曲率半径
Ｒ１２  ：第６レンズＬ６の像面側面の曲率半径
Ｒ１３  ：ガラス平板ＧＦの物体側面の曲率半径
Ｒ１４  ：ガラス平板ＧＦの像面側面の曲率半径
ｄ      ：レンズの中心厚、又は、レンズ間距離
ｄ１    ：第１レンズＬ１の中心厚
ｄ２    ：第１レンズＬ１像面側面からＬ２の物体側面までの軸上距離
ｄ３    ：第２レンズＬ２の中心厚
ｄ４    ：第２レンズＬ２の像面側面から開口絞りＳＴＯＰまでの軸上距離
ｄ５    ：開口絞りＳＴＯＰから第３レンズＬ３の物体側面までの軸上距離
ｄ６    ：第３レンズＬ３の中心厚
ｄ７    ：第３レンズＬ３の像面側面から第４レンズＬ４の物体側面までの軸上距離
ｄ８    ：第４レンズＬ４の中心厚
ｄ９    ：第４レンズＬ４の像面側面から第５レンズＬ５の物体側面までの軸上距離
ｄ１０  ：第５レンズＬ５の中心厚
ｄ１１  ：第５レンズＬ５の像面側面からガラス平板ＧＦの物体側面までの軸上距離
ｄ１２  ：第６レンズＬ６の中心厚
ｄ１３  ：第５レンズＬ６の像面側面からガラス平板ＧＦの物体側面までの軸上距離
ｄ１４  ：ガラス平板ＧＦの中心厚
ｄ１５  ：ガラス平板ＧＦの像面側面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：第６レンズＬ６のｄ線の屈折率
ｎｄ７  ：ガラス平板ＧＦのｄ線の屈折率
【要約】      （修正有）【課題】良好な光学特性で、明るいＦ値を有し、広角な６枚のレンズで構成される撮像レンズを提供する。【解決手段】物体側から順に、負パワーの第１レンズＬ１、正パワーの第２レンズＬ２、正パワーの第３レンズＬ３、負パワーの第４レンズＬ４、正パワーの第５レンズＬ５、負パワーの第６レンズＬ６が配置され、且つ、所定の条件式を満足すること。【選択図】図１【図１】
0006738470.tif 000018
【図２】
0006738470.tif 000019
【図３】
0006738470.tif 000020
【図４】
0006738470.tif 000021
【図５】
0006738470.tif 000022
【図６】
0006738470.tif 000023
【図７】
0006738470.tif 000024
【図８】
0006738470.tif 000025
【図９】
0006738470.tif 000026
【図１０】
0006738470.tif 000027